(57)【要約】【課題】  ロッドインテグレータにおいて熱膨張による伸びが生じることを考慮したロッド固定構造及び投写型映像表示装置を提供する。【解決手段】  照明装置は、光源としてのＬＥＤ（発光ダイオード）１１と、ロッドインテグレータと、を備えて成る。前記ロッドインテグレータは、テーパロッド部１２と、延長ロッド部１３とから成る。ベースプレート２１上には第１支持部材２３が設けられている。第１支持部材２３の立上部には第１開口２３ａが形成されている。前記ロッドインテグレータはその略中央箇所において前記第１支持部材２３によって支持固定される。【選択図】        図３
2007187932.tif 000002
【特許請求の範囲】
【請求項１】
光源から照明対象物までの空間内に配置されるロッドインテグレータを保持するためのロッド固定構造であって、前記ロッドインテグレータの胴体部の中央箇所又は略中央箇所を当該ロッドインテグレータが膨張することによる光軸方向の伸びによる位置変位を規制する固定箇所とし、且つ前記ロッドインテグレータの光入口端及び光出口端は当該ロッドインテグレータの膨張による光軸方向の伸びが許容される自由端とされたことを特徴とするロッド固定構造。
【請求項２】
請求項１に記載のロッド固定構造において、前記ロッドインテグレータは、直方体形状のロッドインテグレータ部とテーパ型のロッドインテグレータ部とから成り、前記固定箇所に支持固定部を備え、この支持固定部は前記直方体形状のロッドインテグレータ部とテーパ型のロッドインテグレータ部とが対面する箇所の両ロッドインテグレータ部の側面部位を支持固定することを特徴とするロッド固定構造。
【請求項３】
請求項１に記載のロッド固定構造において、前記ロッドインテグレータは、直方体形状のロッドインテグレータ部とテーパ型のロッドインテグレータ部とから成り、前記固定箇所に支持固定部を備え、この支持固定部は前記直方体形状のロッドインテグレータ部とテーパ型のロッドインテグレータ部とが対面する箇所の一方のロッドインテグレータ部の側面部位を支持固定し、他方のロッドインテグレータ部については前記一方のロッドインテグレータ部に接着固定するか又は押し当てるように配置することを特徴とするロッド固定構造。
【請求項４】
請求項１に記載のロッド固定構造において、前記ロッドインテグレータは、光の偏光方向を揃える偏光変換装置を挟むように配置された直方体形状のロッドインテグレータ部とテーパ型のロッドインテグレータ部とから成り、前記固定箇所に支持固定部を備え、この支持固定部は前記直方体形状のロッドインテグレータ部及びテーパ型のロッドインテグレータ部とが対面する箇所の両ロッドインテグレータ部の側面部位を支持固定することを特徴とするロッド固定構造。
【請求項５】
請求項１に記載のロッド固定構造において、前記ロッドインテグレータは、光の偏光方向を揃える偏光変換装置を挟むように配置された直方体形状のロッドインテグレータ部とテーパ型のロッドインテグレータ部とから成り、前記固定箇所に支持固定部を備え、この支持固定部は前記直方体形状のロッドインテグレータ部及びテーパ型のロッドインテグレータ部とが対面する箇所の一方のロッドインテグレータ部の側面部位を支持固定し、他方のロッドインテグレータ部については前記偏光変換装置に接着固定するか又は押し当てるように配置することを特徴とするロッド固定構造。
【請求項６】
請求項１に記載のロッド固定構造において、前記ロッドインテグレータは、光の進行方向を変えるプリズムを介在させてＬ字状に配置された第１のロッドインテグレータ部と第２のロッドインテグレータ部とから成り、前記固定箇所に支持固定部を備えてこの支持固定部にて前記プリズムを支持固定するか又は前記固定箇所に支持台を備えてこの支持台上に前記プリズムを接着固定し、前記ロッドインテグレータ部についてはこれを前記プリズムに接着固定するか又は前記プリズムに押し当てるように配置することを特徴とするロッド固定構造。
【請求項７】
請求項１に記載のロッド固定構造において、前記ロッドインテグレータは、光の進行方向を変えるプリズムを介在させてＬ字状に配置された第１のロッドインテグレータ部と第２のロッドインテグレータ部とから成り、前記固定箇所に支持固定部を備え、この支持固定部は前記第１のロッドインテグレータ部と前記プリズムとが対面する箇所における当該第１のロッドインテグレータ部の側面部位及び前記第２のロッドインテグレータ部と前記プリズムとが対面する箇所における当該第２のロッドインテグレータ部の側面部位を支持固定することを特徴とするロッド固定構造。
【請求項８】
請求項１に記載のロッド固定構造において、前記ロッドインテグレータはテーパ型のロッドインテグレータであり、前記固定箇所に支持固定部を備え、この支持固定部は前記テーパ型のロッドインテグレータの中央箇所又は略中央箇所を支持固定することを特徴とするロッド固定構造。
【請求項９】
光源と、照射された光を変調するライトバルブと、前記光源と前記ライトバルブとの間に配置されたロッドインテグレータと、前記ロッドインテグレータを固定するための請求項１乃至請求項８のいずれかに記載のロッド固定構造と、前記ライトバルブからの映像光を投写する投写手段と、を備えたことを特徴とする投写型映像表示装置。
【発明の詳細な説明】
【技術分野】
【０００１】
この発明は、ロッドインテグレータを固定するためのロッド固定構造及びこれを備えた投写型映像表示装置に関する。
【背景技術】
【０００２】
近年、投写型映像表示装置において、ＬＥＤ等の光源から出射される光の分散角低減及び光照射面内での輝度ムラ低減のためにテーパ型ロッドインテグレータを用いる照明系を搭載することが試みられている。また、テーパ型ロッドインテグレータの光出口面の側に直方体形状のロッドインテグレータを配置する構成も考えられる。そして、前記テーパ型ロッドインテグレータを保持する構造としてロッドホルダが提案されている（特許文献１参照）。
【特許文献１】特開２００４−９４１１５号公報
【発明の開示】
【発明が解決しようとする課題】
【０００３】
ところで、投写型映像表示装置において、光源とライトバルブとの間にロッドインテグレータを備える構成では、前記光源による熱によって当該ロッドインテグレータが膨張すると考えられる。この膨張により、光源からの入射光の取り込み効率が変化したり、ライトバルブでの均一性確保のためにさらにマージンを設ける必要があり、光量のロスが発生する。
【０００４】
この発明は、上記の事情に鑑み、ロッドインテグレータにおいて熱膨張による伸びが生じることによる光量ロスなどを最小化するロッド固定構造及び投写型映像表示装置を提供することを目的とする。
【課題を解決するための手段】
【０００５】
この発明のロッド固定構造は、上記の課題を解決するために、光源から照明対象物までの空間内に配置されるロッドインテグレータを保持するためのロッド固定構造であって、前記ロッドインテグレータの胴体部の中央箇所又は略中央箇所を当該ロッドインテグレータが膨張することによる光軸方向の伸びによる位置変位を規制する固定箇所とし、且つ前記ロッドインテグレータの光入口端及び光出口端は当該ロッドインテグレータの膨張による光軸方向の伸びが許容される自由端とされたことを特徴とする。
【０００６】
上記の構成であれば、前記ロッドインテグレータの胴体部の中央箇所又は略中央箇所が支持固定されるとともに前記ロッドインテグレータの光入口端及び光出口端はその伸びが許容される自由端とされるので、前記ロッドインテグレータが熱膨張で伸びたとしても、その伸びは前記ロッドインテグレータの光入口端と光出口端に振り分けられることになり、前記ロッドインテグレータの光入口面と光源との間の距離の変化及びその光出口面とライトバルブとの間の距離の変化を極力少なくし、光量ロスを最小化することができる。
【０００７】
上記ロッド固定構造において、前記ロッドインテグレータは、直方体形状のロッドインテグレータ部とテーパ型のロッドインテグレータ部とから成り、前記固定箇所に支持固定部を備え、この支持固定部は前記直方体形状のロッドインテグレータ部とテーパ型のロッドインテグレータ部とが対面する箇所の両ロッドインテグレータ部の側面部位を支持固定することとしてもよい。或いは、上記ロッド固定構造において、前記ロッドインテグレータは、直方体形状のロッドインテグレータ部とテーパ型のロッドインテグレータ部とから成り、前記固定箇所に支持固定部を備え、この支持固定部は前記直方体形状のロッドインテグレータ部とテーパ型のロッドインテグレータ部とが対面する箇所の一方のロッドインテグレータ部の側面部位を支持固定し、他方のロッドインテグレータ部については前記一方のロッドインテグレータ部に接着固定するか又は押し当てるように配置することを特徴とするロッド固定構造
【０００８】
或いは、上記ロッド固定構造において、前記ロッドインテグレータは、光の偏光方向を揃える偏光変換装置を挟むように配置された直方体形状のロッドインテグレータ部とテーパ型のロッドインテグレータ部とから成り、前記固定箇所に支持固定部を備え、この支持固定部は前記直方体形状のロッドインテグレータ部及びテーパ型のロッドインテグレータ部とが対面する箇所の両ロッドインテグレータ部の側面部位を支持固定することとしてもよい。或いは、上記ロッド固定構造において、前記ロッドインテグレータは、光の偏光方向を揃える偏光変換装置を挟むように配置された直方体形状のロッドインテグレータ部とテーパ型のロッドインテグレータ部とから成り、前記固定箇所に支持固定部を備え、この支持固定部は前記直方体形状のロッドインテグレータ部及びテーパ型のロッドインテグレータ部とが対面する箇所の一方のロッドインテグレータ部の側面部位を支持固定し、他方のロッドインテグレータ部については前記偏光変換装置に接着固定するか又は押し当てるように配置することとしてもよい。
【０００９】
或いは、上記ロッド固定構造において、前記ロッドインテグレータは、光の進行方向を変えるプリズムを介在させてＬ字状に配置された第１のロッドインテグレータ部と第２のロッドインテグレータ部とから成り、前記固定箇所に支持固定部を備えてこの支持固定部にて前記プリズムを支持固定するか又は前記固定箇所に支持台を備えてこの支持台上に前記プリズムを接着固定し、前記ロッドインテグレータ部についてはこれを前記プリズムに接着固定するか又は前記プリズムに押し当てるように配置することとしてもよい。或いは、上記ロッド固定構造において、前記ロッドインテグレータは、光の進行方向を変えるプリズムを介在させてＬ字状に配置された第１のロッドインテグレータ部と第２のロッドインテグレータ部とから成り、前記固定箇所に支持固定部を備え、この支持固定部は前記第１のロッドインテグレータ部と前記プリズムとが対面する箇所における当該第１のロッドインテグレータ部の側面部位及び前記第２のロッドインテグレータ部と前記プリズムとが対面する箇所における当該第２のロッドインテグレータ部の側面部位を支持固定することとしてもよい。これら構成であれば、前記ロッドインテグレータが熱で膨張してもその光軸（中心軸）は前記光源の光主光線軸や照明対象物の中心軸に対してずれないという利点も得られる。
【００１０】
或いは、上記ロッド固定構造において、前記ロッドインテグレータはテーパ型のロッドインテグレータであり、前記固定箇所に支持固定部を備え、この支持固定部は前記テーパ型のロッドインテグレータの中央箇所又は略中央箇所を支持固定することとしてもよい。
【００１１】
また、この発明の投写型映像表示装置は、光源と、照射された光を変調するライトバルブと、前記光源と前記ライトバルブとの間に配置されたロッドインテグレータと、前記ロッドインテグレータを固定するための上述したいずれかのロッド固定構造と、前記ライトバルブからの映像光を投写する投写手段と、を備えたことを特徴とする。
【発明の効果】
【００１２】
この発明によれば、ロッドインテグレータが熱膨張で伸びたとしても、その光入口面と光源との間の距離やその光出口面とライトバルブとの間の距離の変化を極力少なくすることができ光量ロスを最小化するなどの効果を奏する。
【発明を実施するための最良の形態】
【００１３】
以下、この発明の実施例を図１乃至図１０に基づいて説明していく。
【００１４】
図１は投写型映像表示装置の光学系を例示した説明図である。この投写型映像表示装置は、３つの照明装置５１Ｒ，５１Ｇ，５１Ｂを備える。各照明装置５１は、光源としてのＬＥＤ（発光ダイオード）１１と、ロッドインテグレータと、を備える。前記ロッドインテグレータは、テーパ型ロッドインテグレータ部（以下、テーパロッド部という）１２と直方体形状ロッドインテグレータ部（以下、延長ロッド部という）１３とから成る。各照明装置５１の光出口側にはライトバルブとしての液晶表示パネル１Ｒ，１Ｇ，１Ｂが配置される。
【００１５】
前記ＬＥＤ１１は、ＬＥＤチップ１１ａとヒートシンク（放熱板）１１ｂとから成る。照明装置５１ＲにおけるＬＥＤチップ１１ａは赤色光を出射し、照明装置５１ＧにおけるＬＥＤチップ１１ａは緑色光を出射し、照明装置５１ＢにおけるＬＥＤチップ１１ａは青色光を出射する。
【００１６】
各照明装置５１から出射された各色光が各色用の液晶表示パネル１Ｒ，１Ｇ，１Ｂを透過することによって各色映像光が生成される。そして、各色映像光はクロスダイクロイックプリズム２（クロスダイクロイックミラーでもよい）によって合成されてカラー映像光となる。このカラー映像光は投写レンズ３によって投写される。
【００１７】
前記液晶表示パネル１Ｒ，１Ｇ，１Ｂは例えば４：３或いは１６：９といったアスペクト比を有する。延長ロッド部１３の光出口面は前記液晶表示パネル１Ｒ，１Ｇ，１Ｂと同一或いは略同一のアスペクト比を有していてもよい。また、テーパロッド部１２の光出口面は延長ロッド部１３の光入口面と同一或いは略同一のアスペクト比を有していてもよい。前記テーパロッド部１２はその全側面である四面においてテーパを有するものでもよいし、そのうちの二面においてテーパを有する（他の二面は平行）ものでもよい。前記四面においてテーパを有する場合、テーパロッド部１２の光出口面及び光入口面を同じアスペクト比とすることができる。高い加工精度で得られたテーパロッド部１２であれば、当該テーパロッド部１２の光出口面の中心と光入口面の中心とを結ぶ線はテーパロッド部１２の光軸に一致し且つ前記光出口面及び光入口面は前記光軸に直交する。
【００１８】
図２は前記ロッドインテグレータを支持固定するためのロッド固定構造２０を示した斜視図である。ベースプレート２１上には第１支持部材（支持固定部）２３が設けられている。第１支持部材２３は断面略Ｌ字形状を有しており、その立上部には第１開口２３ａが形成されている。また、第１支持部材２３の土台部にはねじ挿通穴が形成されており、ベースプレート２１に形成されているねじ穴に前記ねじ挿通穴からねじが挿入されて前記ねじ穴に螺合されることにより、第１支持部材２３がベースプレート２１に固定される。
【００１９】
前記第１開口２３ａは、図３及び図４に示しているように、テーパロッド部１２の光出口面（大きな面）及び延長ロッド部１３の光入口面よりも幾分大きい。第１支持部材２３の立状部の側面には、ねじ穴が形成されている。このねじ穴にねじ４５を螺合し、このねじ４５にてテーパロッド部１２の大きな面（光出口面）の側及び延長ロッド部１３の光入口面の箇所の側面を側方から押さえることができる。第１開口２３ａにおける位置決め基準面は、図４において第１開口２３ａにおける左側の縁及び下側の縁となる。勿論、右側の縁に設けたねじ４５と上側の縁に設けたねじ４５のどちらかだけで前記ロッドインテグレータを固定する構造も採用できる。
【００２０】
更に、ベースプレート２１上に第２支持部材２４を設けることができる。この第２支持部材２４は断面略Ｌ字形状を有しており、その立上部には第２開口２４ａが形成されている。第２支持部材２４がベースプレート２１上に置かれた状態において、その立状部と固定側支持部材２３の立状部とを極力平行に対面させるようにする。第２支持部材２４の土台部には長穴形状のねじ挿通穴が形成されており、ベースプレート２１に形成されているねじ穴に前記ねじ挿通穴からねじが挿入されて前記ねじ穴に螺合されることにより、スライド支持部材２４をベースプレート２１に固定することができる。
【００２１】
第２開口２４ａは、テーパロッド部１２の光入口面よりも大きくて光出口面よりは小さく、テーパロッド部１２の胴体部の途中箇所の断面形状に一致した形状及び大きさを有している。第２開口２４ａ内にテーパロッド部１２の光入口側を通し、第２支持部材２４をテーパロッド部１２に沿って移動させると、図３に示しているように、第２支持部材２４は所定の位置で止まる（スライド不可状態となる）。この状態でテーパロッド部１２は第２支持部材２４によって延長ロッド部１３に押し当てられる状態となる。なお、この止まり位置に対応して前記ベースプレート２１に前記ねじ穴が形成されているのであるが、誤差の発生を考慮して、先述のごとく、第２支持部材２４には長穴形状のねじ挿通穴を形成している。
【００２２】
ところで、テーパロッド部１２の加工精度が低い場合、例えば、テーパロッド部１２の光軸に対してその光出口面が直交していない場合には、テーパロッド部１２は、その光出口面が延長ロッド部１３の光入口面に対して斜めになって配置されなければならない。すなわち、このように斜めに配置しないとテーパロッド部１２の光軸と延長ロッド部１３の光軸とを一致させることができない。テーパロッド部１２の光軸に対してその光出口面が直交していない場合でも、テーパロッド部１２の光軸と延長ロッド１３の光軸とを極力一致させるようにして第２支持部材２４を固定することができる。なお、テーパロッド部１２の加工精度が十分であるときには延長ロッド部１３とテーパロッド部１２とを透明接着剤で接着（一体化）した後で投写型映像表示装置内に配置することも考えられるのであるが、上述したような光軸ずれを補償するためには、延長ロッド部１３とテーパロッド部１２とを接着しないで投写型映像表示装置内に配置する構成とするのがよい。勿論、延長ロッド部１３とテーパロッド部１２とを透明接着剤で固定する構成（一体化構成）を排除するわけではない。このような一体化構成においては、図３において示されているねじ４５・４５の一方だけを備える構成を採用することが可能になる。また、テーパロッド部１２は第２支持部材２４によって延長ロッド部１３に押し当てられるので、テーパロッド部１２を固定するねじ４５を不要にしうる。
【００２３】
前記ねじ４５によるテーパロッド部１２や延長ロッド部１３への過剰な押圧を回避するために、弾性部材（コイルばね、板ばね、ゴム等）をねじ４５とロッド側面との間に介在させ、当該弾性部材による略一定の押圧力にてテーパロッド１２を支持固定することとしてもよい。前記弾性部材に限らず、板部材を介在させてもよい。また、ねじ４５を設けずに、板ばねなどのばねによってテーパロッド部１２や延長ロッド部１３を側方から押さえ付ける構成も適用できる。また、第１支持部材２３と第２支持部材２４とは平行に対面する構成に限られるものではない。後述するロッド固定構造２０′についても同様のことがいえる。また、延長ロッド部１３の光出口面の側にも当該延長ロッド部１３を支持する支持部材を設けておいてもよい（図１０参照）。また、延長ロッド部１３とテーパロッド部１２とを接着しない場合において、延長ロッド部１３をテーパロッド部１２に押し当てる手段（例えば、付勢手段４９等（図１０参照））を設けてもよい。テーパロッド部１２が延長ロッド部１３の箇所にも存在するような長いテーパロッドである場合（延長ロッド部１３を備えないとする）、図３において示される箇所に位置する第１支持部材２３によって当該長いテーパロッドの中央又は略中央が保持されることになる。
【００２４】
図５は他の照明装置５２を示した説明図である。この照明装置５２は、テーパロッド部１２′と延長ロッド部１３との間に偏光変換装置４０を備える。偏光変換装置４０は二組の偏光変換部を備えて成る。偏光変換部は偏光ビームスプリッタを二つ並べた構造、或いは一つの偏光ビームスプリッタと当該偏光ビームスプリッタからの光を反射する反射部材とを並べた構造を有する。そして、一つの偏光ビームスプリッタの光出射側又は前記反射部材の光出射側のいずれかに位相差板（１／２λ板）を備えており、一方の偏光光を他方の偏光光に変換することによって偏光方向を揃える。テーパロッド部１２′はテーパロッド部１２においてその光出口面の所定方向の寸法（この例では横寸法）が略半分とされた形状を有するものに相当する。
【００２５】
図６は前記照明装置５２に適用できるロッド固定構造２０′を示した斜視図である。基本的な構成は先述したロッド固定構造２０と同じである。図７はロッド固定構造２０′の断面図である。ロッド固定構造２０′における第１支持部材２３は、ロッド固定構造２０における第１支持部材２３よりも厚みを厚くしてあり、第１開口２３ａにおける大開口部の厚み（奥行き）は偏光変換装置４０の厚みよりも厚くなっている。この大開口部にて偏光変換装置４０を保持するとともに延長ロッド部１３の光入口面を支持している。なお、かかる構成においても、テーパロッド部１２′と偏光変換装置４０と延長ロッド部１３とを透明接着剤で固定（一体化）した後で投写型映像表示装置内に配置することも考えられる。ただし、上述したような光軸ずれを補償するためには、これら光学素子（ロッド等）を互いに接着しないで投写型映像表示装置内に配置する構成とするのがよい。
【００２６】
常温時（例えば、２５℃）における前記ロッドインテグレータにおける光入口面と前記ＬＥＤ１１との間の距離をＡとし、投写開始から時間が経過して前記ロッドインテグレータが最も熱膨張して伸びることによるその光入口面と前記ＬＥＤ１１との間の距離をＢとする。ロッドインテグレータにおける伸び量は、ロッド固定構造２０（２０′）における前記第１支持部材２３の位置から前記ロッドインテグレータの光入口面までの部位の膨張による伸び量となる。上記条件の下では、前記距離Ａを前記距離Ｂよりも少し大きくしておけばよい。或いは、前記ロッドインテグレータにおける光入口面と前記ＬＥＤ１１との間の理想の距離をＣとした場合において、Ｃ＝Ｂを満たすようにしてもよい。これは、投写開始から時間が経過したときに理想の距離Ｃが得られる設計となる。
【００２７】
ここで、前記条件の下での前記距離Ａと前記距離Ｂの差異をＤとする。一方、仮に、前記ロッドインテグレータの光出口面が固定支持されているとすれば、その膨張による伸び量は、前記ロッドインテグレータの中央又は略中央が固定支持される場合のその膨張による伸び量の約２倍になる。そして、この仮の条件の下での前記距離Ａと前記距離Ｂの差異をＤ′とすると、Ｄ′＞Ｄとなる。このことは、投写開始直後と投写開始後に時間が経過した後のＬＥＤ１１と前記光入口面との間の距離の変化が、前記仮の条件の下での構成に比べて本願構成の方が小さいことを意味する。すなわち、本願構成であれば前記ロッドインテグレータの光入口端と光出口端の双方が熱膨張の伸びに対して自由端とされて（両端ともに熱膨張による伸びを許容する支持構造になっており）当該伸びは前記二つの自由端において振り分けられることになるから、かかる熱膨張の伸びによる影響が小さくなることが理解できる。ここで、前記ロッドインテグレータの光入口面と光源との間の距離が増すほど、当該光入口面から取り込める光量が少なくなる。前記ロッドインテグレータの光出口端が固定端で光入口端だけが自由端であるとすると、非膨張時において前記ロッドインテグレータの光入口端と光源との間の間隔を大きくしておく必要が生じ、光取り込み率は低くなってしまう。前記ロッドインテグレータにおける光入口側が先述のごとくテーパロッド部１２（１２′）である場合において、光取り込み率を上げるために光入口面を多くすると、テーパロッド部１２（１２′）における低分散角効果が低下してしまうことになる。
【００２８】
同様に、前記ロッドインテグレータの光出口面と液晶表示パネル１との間の距離に関しても、本願構成であればロッドインテグレータの熱膨張の伸びによる影響が小さくなることが理解できる。ここで、液晶表示パネル１の全面を均一に照射するためには、前記ロッドインテグレータの光出口面と液晶表示パネル１との間の距離が増すほど当該ロッドインテグレータの光出口面の面積を大きくしなければならず、該面積を大きくすれば光利用効率が低下することになる。先述した特許文献１記載のロッドホルダでは、テーパロッドの光入口端が固定端で光出口端が自由端になると思われるから、非膨張時において前記テーパロッドの光出口端とパネルとの間の距離がとても長くなり、テーパロッドの光出口面積を大きくしなければならないと推測される。また、同様に、前記ロッドインテグレータの光出口面の側に光路を所定角度変更するプリズムが配置される構成において、当該プリズムと前記光出口面との間の距離に関しても、本願構成であればロッドインテグレータの熱膨張による影響が小さくなることが理解できる。
【００２９】
なお、第２支持部材２４はテーパロッド部１２の素材（例えば、ガラス）よりも硬度が低く、耐熱性を有する樹脂や金属等の素材（光源点灯によって上昇するテーパロッド部１２の温度に耐えれればよい）によって形成することができる。勿論、スライド支持部材２４の硬度をテーパロッド１２の素材（例えば、ガラス）よりも高くした構成を排除するものではない。また、熱膨張によってテーパロッド部１２がＬＥＤ１１側に伸びた場合に、第２支持部材２４の立上部が前記伸び方向に傾く（変形する）とともに収縮したとき（元に戻ったとき）に復元できる（傾きが元に戻る）程度の弾性（厚み）を当該立上部に持たせており、これによって前記ロッドインテグレータの光入口端を熱膨張の伸びに対して自由端とする構造を実現している。なお、第２開口２４ａはその４角形状開口による４縁面にてテーパロッド部１２を支持することに限らず、前記４縁面に形成された凸部（例えば、半円状の凸部）にて点支持するような形状を有していてもよい。また、第２支持部材２４は、図８に示すように、板ばね４７にてテーパロッド部１２の胴体部の途中箇所を側方から押し付ける構成を有していてもよい。勿論、テーパロッド部１２の４側面の全てを板ばね３７にて押圧することとしてもよい。なお、このようなばね付き開口構造を採用する場合には、テーパロッド部１２の膨張による変形を前記板ばね４７が吸収してくれることになり、前記ロッドインテグレータの光入口端を熱膨張の伸びに対して自由端とする構造が実現されることになる。
【００３０】
延長ロッド部１３の光出口面の側に支持部材を設ける場合においては、当該支持部材も前記耐熱性等を有するのがよい。この支持部材が延長ロッド部１３を滑り支持する場合には、当該支持部材に弾性を持たせる必要は特にない。ただし、この支持部材が延長ロッド部１３を固定的に支持する場合には、当該支持部材にも前記と同様の弾性（厚み）を持たせることとすればよい。勿論、この支持部材についても、図８に示したようなばねつき開口構造を採用して延長ロッド部１３を滑り支持するようにしてもよい。
【００３１】
勿論、テーパロッド部１２（１２′）についても、断面が四角形に限られるものではなく、四隅をカットした八角形状などの形状を有する場合もある。また、テーパロッド部としては、透明体（ガラス等）からなるものに限らず、中空構造（内面がミラー面）のものも含まれる。
【００３２】
また、第１支持部材２３の立状部は４辺を有する枠形状を成すものに限るわけではない。例えば、図９に示すようにコ字形状の部材と可動部材４６とから成る構成も採用できる。図９において、前記コ字形状の部材における右立状部と下片部とは位置決め基準面を成し、左立状部は前記可動部材４６を支持する。この左立状部にはねじ穴が形成されている。また、可動部材４６には横方向に長い長穴４６ａが形成されている。可動部材４６を図の右側に移動させてその右縁にて前記ロッドインテグレータを側方から押さえつつ図示しないねじを前記長穴を通して前記ねじ穴に螺合させることで前記ロッドインテグレータの中央又は略中央が保持されることになる。
【００３３】
また、上記の例では、誘電体多層膜を用いた偏光変換装置４０を保持する例を示したが、ワイヤーグリッドを用いた偏光変換装置を保持する構成としてもよい。この場合、ワイヤーグリッドを用いた偏光変換装置の面の大きさとテーパロッドの光出口面の大きさは同じ又は略同じとされる。
【００３４】
また、図１０に示すように、ロッドインテグレータは、光の進行方向を変えるプリズム１４を介在させてＬ字状に配置されたテーパロッド部１２と延長ロッド部１３とから成っていてもよい。かかるロッドインテグレータに対しては、前記プリズム１４を支持固定する支持固定部を設ければよい。この支持固定部としては、例えば、図１０の紙面垂直方向に前記プリズム１４をねじにて押さえ付けるようなクランプ構造を採用できる。また、図示しない支持台上に前記プリズム１４を接着剤によって接着固定してもよい。テーパロッド部１２の光出口面とプリズム１４の光入口面とを透明接着材で接着しなくとも（同様に、延長ロッド部１３の光入口面とプリズム１４の光出口面とを透明接着材で接着しなくとも）、前記プリズム１４が固定されていることにより、テーパロッド部１２の光出口面は熱膨張の伸びに対して固定端となる（同様に、延長ロッド部１２の光入口面は熱膨張の伸びに対して固定端となる）。ただし、接着を行わない場合、延長ロッド部１３に対しては、これをプリズム１４の側に押し当てておくようにするための手段（例えば、ばねを利用する付勢手段４９等）を設けておく。テーパロッド部１２については、第２支持部材２４を設けることで当該テーパロッド部１２プリズム１４に押し当てることができる。勿論、透明接着剤で上記面を接着することとしてもよい。前記プリズム１４を固定することに限らず、テーパロッド部１２の光出口面近傍の側面部位を固定してもよい（同様に、延長ロッド部１３の光入口面近傍の側面部位を固定してもよい）。かかる構成であれば、前記ロッドインテグレータが膨張してもその光軸（中心軸）は光源（ＬＥＤ光源）の光主光線軸や照明対象物である液晶表示パネル１の中心軸に対してずれないという利点も得られる。また、前記ロッドインテグレータとしては、図１０のテーパロッド部１２に代えて延長ロッドを備える構成もありうる。更に、前記ロッドインテグレータとしては、直方体形状のロッドインテグレータとテーパ型ロッドインテグレータとの組み合わせに限らず、Ｌ字型構成及びストレート構成（図２参照）において、２種類（例えば、光屈折率が異なるなど）の直方体形状のロッドインテグレータから成るものもありうる。なお、前記プリズム１４の長辺部である１４a 側に例えば板状の部材（図示せず）を当てる（押し当てる）ことにより前記プリズム１４の固定さらにはロッドインテグレータの固定（移動規制）を行うことも可能である。
【００３５】
また、上記の例では、３板式の投写型映像表示装置を示したが、単板式の投写型映像表示装置においても本願のロッド固定構造を適用することができる。勿論、光を変調するライトバルブは透過型の液晶パネルに限らず、反射型の液晶パネルを用いてもよいし、微小ミラーを多数配置して成るライトバルブを用いてもよいものである。
【図面の簡単な説明】
【００３６】
【図１】この発明の実施形態の投写型映像表示装置の光学系の例を示した説明図である。
【図２】この発明の実施形態のロッド固定構造を例示した斜視図である。
【図３】図２のロッド固定構造の断面図である。
【図４】第１支持部材（支持固定部）を示した説明図である。
【図５】照明装置の他の例を示した説明図である。
【図６】図５の照明装置に適用することができるロッド固定構造を示した斜視図である。
【図７】図６のロッド固定構造の断面図である。
【図８】第２支持部材の他の例を示した説明図である。
【図９】第１支持部材（支持固定部）の他の例を示した説明図である。
【図１０】この発明の他の実施形態のロッド固定構造を例示した斜視図である。
【符号の説明】
【００３７】
１    液晶表示パネル
２    クロスダイクロイックプリズム
３    投写レンズ
１１  ＬＥＤ
１２，１２′  テーパ型ロッドインテグレータ（テーパロッド）
１３  直方体形状ロッドインテグレータ（延長ロッド）
１４  プリズム
２０，２０′  ロッド固定構造
２３  第１支持部材（支持固定部）
２４  第２支持部材
５１，５２  照明装置
【図１】
2007187932.tif 000003
【図２】
2007187932.tif 000004
【図３】
2007187932.tif 000005
【図４】
2007187932.tif 000006
【図５】
2007187932.tif 000007
【図６】
2007187932.tif 000008
【図７】
2007187932.tif 000009
【図８】
2007187932.tif 000010
【図９】
2007187932.tif 000011
【図１０】
2007187932.tif 000012